(57)【特許請求の範囲】
【請求項１】
止めねじにより互いに結合される複数のケースの組合せにより収納部品が収納される部品収容室を形成する一方のケースと、前記一方のケースに対して前記止めねじの頭部を覆い隠すように重ね合わされる他方のケースとを、互いにずらすことにより前記一方のケース及び他方のケースに形成される係合部同士を嵌合させ、前記一方のケース及び他方のケースにそれぞれ形成され、複数の連結部によって前記一方のケースと連結され、かつ、複数の連結部によって互いに連結される第一固定ブロックの複数の固定箇所部、及び、当該第一固定ブロックの複数の固定箇所部とそれぞれ対応する第二固定ブロックの複数の固定箇所部のうち、少なくとも一つに固定ねじを締結することにより組み合わされるケース複合体であって、
前記第一固定ブロックの固定箇所部は、前記固定ねじが予め挿入されたねじ収容室を有し、当該ねじ収容室における前記第二固定ブロック側の底部は、前記挿入された固定ねじの先端部の中間部を受止めるねじ掛け部と、前記ねじ掛け部から突出する前記固定ねじの先端部よりも前記第二固定ブロック側に突出する防護部とを有し、
前記第二固定ブロックには、当該第二固定ブロックにおける前記第一固定ブロック側の端面を囲む周壁内に設けられ、前記複数の固定箇所部の内部孔と対応する位置に複数の爪部を有するねじワッシャと、前記第一固定ブロック側に突出する位置決定部を有し、前記ねじワッシャに対して重ね合わされるワッシャカバーとが取り付けられ、
前記ねじワッシャの爪部は、前記固定ねじが前記内部孔に挿入された状態において、前記先端部よりも第一固定ブロック側に形成され、前記先端部よりも小径なくびれ部を前記固定ねじの挿入方向に折り曲げられた状態で囲み、
前記ワッシャカバーの位置決定部は、前記第二固定ブロック側に突出する防護部の周面を囲む弧状に形成され、前記一方のケースと他方のケースとが互いにずらされた場合において前記防護部の周面と突き当たることを特徴とするケース複合体。
【請求項２】
前記複数の連結部に色彩を施したことを特徴とする請求項１に記載のケース複合体。
【発明の詳細な説明】
【０００１】
【発明の属する技術分野】
本発明は、パチンコ機やスロットマシンのような遊技機の制御回路のような部品を収納保護する容器であるケース複合体に関する。
【０００２】
【従来の技術】
特開平１０−３２８３８４号公報で開示されたケース複合体は、複数のケースよりなる部品収容室に収納部品を格納し、複数のケースの一方に設けられた固定ブロックと他方に設けられた固定ブロックとに固定ねじを締結すると共に、固定ねじによる複数の結合を解除する場合には固定ブロックとケースとの連結部を切断する構造である。
【０００３】
【発明が解決しようとする課題】
しかし、前記従来例は、ケース複合体の外部からの収納部品に対する視認性を確保する点からケース複合体が透視性の有る合成樹脂によって形成されている。このため、固定解除に際する切断個所の誤認識と言う１つの問題点と、複数のケースを組合せる際の固定ねじによる傷付きと言うもう１つの問題点とが指摘されている。
【０００４】
そこで、本発明は、切断個所の認識容易性又は固定ねじによる傷付き防止のいずれかによって、品質信頼性向上を図ることができるケース複合体を提供するものである。
【０００５】
本発明にあっては、止めねじにより互いに結合される複数のケースの組合せにより収納部品が収納される部品収容室を形成する一方のケースと、前記一方のケースに対して前記止めねじの頭部を覆い隠すように重ね合わされる他方のケースとを、互いにずらすことにより前記一方のケース及び他方のケースに形成される係合部同士を嵌合させ、前記一方のケース及び他方のケースにそれぞれ形成され、複数の連結部によって前記一方のケースと連結され、かつ、複数の連結部によって互いに連結される第一固定ブロックの複数の固定箇所部、及び、当該第一固定ブロックの複数の固定箇所部とそれぞれ対応する第二固定ブロックの複数の固定箇所部のうち、少なくとも一つに固定ねじを締結することにより組み合わされるケース複合体であって、前記第一固定ブロックの固定箇所部は、前記固定ねじが予め挿入されたねじ収容室を有し、当該ねじ収容室における前記第二固定ブロック側の底部は、前記挿入された固定ねじの先端部の中間部を受止めるねじ掛け部と、前記ねじ掛け部から突出する前記固定ねじの先端部よりも前記第二固定ブロック側に突出する防護部とを有し、前記第二固定ブロックには、当該第二固定ブロックにおける前記第一固定ブロック側の端面を囲む周壁内に設けられ、前記複数の固定箇所部の内部孔と対応する位置に複数の爪部を有するねじワッシャと、前記第一固定ブロック側に突出する位置決定部を有し、前記ねじワッシャに対して重ね合わされるワッシャカバーとが取り付けられ、前記ねじワッシャの爪部は、前記固定ねじが前記内部孔に挿入された状態において、前記先端部よりも第一固定ブロック側に形成され、前記先端部よりも小径なくびれ部を前記固定ねじの挿入方向に折り曲げられた状態で囲み、前記ワッシャカバーの位置決定部は、前記第二固定ブロック側に突出する防護部の周面を囲む弧状に形成され、前記一方のケースと他方のケースとが互いにずらされた場合において前記防護部の周面と突き当たることを特徴としている。
よって、本発明によれば、固定ねじの先端部が固定ブロック外に突出しないので、複数のケースを組み合わせる際に固定ねじがケースに傷をつけることを防止できる。また、固定ねじが締結時とは逆方向に回転操作されても、爪部で囲まれたくびれ部が回転するだけで、固定ねじは第一固定ブロック及び第二固定ブロックから取外し不能となる。
また、本発明にあっては、複数の連結部に色彩を施したことを特徴としている。
よって、本発明によれば、作業者は色彩が施された連結部を切断個所として適切に認識できるので、連結部以外の部分を切断するような間違いを防止することができる。
【０００６】
【発明の実施の形態】
図１〜図９は本発明の第１実施形態であって、図１は第１固定ブロック２５と第２固定ブロック２６とを分解して示し、図２はケース複合体４を分解して示し、図３はケース複合体４を示し、図４は固定ねじ２７及び第１固定ブロック２５を分解した断面を示し、図５はケース中間体と第３ケースとの組付け過程の断面を示し、図６はケース中間体及び第３ケース３の組付過程で第１・第２固定ブロック２５；２６相互位置が対応した断面を示し、図７は固定ねじ２７と第２固定ブロック２６とが締結された断面を示し、図８はケース中間体と第３ケースとの取外し過程を示し、図９はパチンコ機の背面を示す。
【０００７】
図２を参照し、ケース複合体４について説明する。ケース複合体４としてはパチンコ機やスロットマシンのような遊技機における制御回路又はその他の部品を収納して保護する容器である。収納される制御装置としては入賞検出信号又は遊技開始信号等のケース複合体４の外部から供給される入力信号により遊技制御の全般を司る中心的な主制御と呼ばれる制御装置又は主制御より出力されるコマンドのような制御指令をケース複合体４の外部から受けることにより賞球を払出す球払出制御と呼ばれる制御装置等に具現化される。球払出制御としては賞球払出のみの制御機能だけでもよいが、賞球払出に加えてケース複合体４の外部から入力される球貸開始信号により貸球を払出す制御機能を併有してもよい。
【０００８】
ケース複合体４は第１ケース１と第２ケース２及び第３ケース３を備え、第１・第２ケース１；２を互いに合掌状に組合せることによって部品収容室５を形成する。この第１・第２ケース１；２を互いに組合せる際に、部品収容室５には収納部品６が格納装着される。第１実施形態では、収納部品６としてプリント基板のような回路基板７にコネクタＣＮや図外のＣＰＵ及びＲＯＭ並びにＲＡＭ更に抵抗やコンデンサ等の電気部品を実装した主制御装置を例示している。第１・第２・第３ケース１〜３は透視性を有する合成樹脂であって、有色でもよいが、無色であればケース複合体４の外部からの収納部品６に対する視認性が最良である。
【０００９】
よって、第２ケース２の内周縁部に回路基板７の周縁部を搭載し、回路基板７のコネクタＣＮ以外の実装部品を第１ケース１で覆いつつ、第１ケース１を回路基板７周縁部に重ね合わせる。そのとき、回路基板７のコネクタＣＮは第１ケース１のコネクタ逃孔１０より第１ケース１の外部に突出させられる。その状態において、止ねじ８を第２ケース２の外側より第２ケース２のねじ挿入孔１１及び回路基板７のねじ挿入孔１２を経由して第１ケース１の取付部１３に締結する。止ねじ８の先端部は取付部１３で覆われている。又、第１ケース１及び第２ケース２が第２ケース２側からタッピングねじのような止ねじ１４で結合される。
【００１０】
互いに組み合わされた第１・第２ケース１；２よりなるケース中間体における第２ケース２の裏面を第３ケース３に重ね合わせて横ずれさせることによって第２ケース２の係合部２１と第３ケース３の係合部２２とを嵌合させる。これによって、ケース中間体を固定している止ねじ１４及び止ねじ８が第３ケース３で覆われ、止ねじ１４及び止ねじ８の取外し操作不能となる。第１ケース１の第１固定ブロック２５に格納された固定ねじ２７（図１参照）を第１ケース１の外側よりドライバのような工具で操作して第３ケース３の第２固定ブロック２６に締結する。これによって、第１・第２・第３ケース１；２；３からなるケース複合体４が形成される（図３参照）。これらの固定ねじ２７の締結方向はケース中間体の第３ケース３への嵌合方向と交差する方向である。
【００１１】
図１を参照し、第１ケース１に設けられた第１固定ブロック２５及び第３ケース３に設けられた第２固定ブロック２６について説明する。第１固定ブロック２５は、第１ケース１より連接されたブロックベース３０、ブロックベース３０より下側に配置された複数の筒状の固定個所部３１、各固定個所部３１とブロックベース３０とを連結する第１連結部３２、各固定個所部３１相互を連結する第２連結部３３を備える。第１・第２連結部３２；３３は後述する切断に際する視認性向上のために２色成型法による有色又は色付けによる色彩を有する。第１固定ブロック２５に後付けされるねじカバー３５は、第１固定ブロック２５における各固定個所部３１に形成されたねじ収容室３６の全部に挿入された固定ねじ２７が固定個所部３１より脱落しないように、固定ねじ２７の脱落防止を図るものであって、有色な合成樹脂で板状に形成されるか又は無色な合成樹脂で板状に形成されたものに色付けされた色彩を有する。ねじカバー３５は固定個所部３１及び第２連結部３３を覆うものであって、固定個所部３１と対応する部分に十字形のスロット３７を有し、固定ねじ２７がねじ収容室３６の全部に挿入された後に、第１固定ブロック２５に接着剤等で接合される。第１・第２連結部３２；３３やねじカバー３５の色彩についてはケース複合体４が有色スケルトンタイプの場合はケース複合体４の色の補色関係を有すれば視認性が良くなる。
【００１２】
固定ねじ２７は頭部４０と胴部４１とくびれ部４２とつば部４３とねじ部４４及び先端部４５が一端から他端に向けて同一直線上に連接された形態である。ねじ部４４の雄ねじにおけるつば部４３側終端の螺旋はつば部４３で閉鎖され、ねじ部４４とくびれ部４２との境を形成する。先端部４５は尖っている。第２固定ブロック２６は、第３ケース３より突出した平坦なブロックベース４６、ブロックベース４６の周囲より裏側に突出された周壁４７、ブロックベース４６より前側に円筒状に膨出された複数の固定個所部４８を備える。固定個所部４８は筒状の内部孔４９の前側が閉鎖された行止まり形状である。固定個所部４８は第１固定ブロック２５の固定個所部３１と位置が対応する。
【００１３】
第２固定ブロック２６の周壁４７で囲まれたブロックベース４６には固定ねじ２７の第２固定ブロック２６からの取り外しを防止するために金属製のねじワッシャ５１と合成樹脂製のワッシャカバー５２とが取付けられる。ねじワッシャ５１は固定個所部４８の内部孔４９と対応する位置に固定ねじ２７のくびれ部４２を挿入する爪部５０を有する。ワッシャカバー５２はねじワッシャ５１を覆った状態でブロックベース４６の周壁４７に接着剤等で接合されるものであって、ねじワッシャ５１の爪部５０と対応する位置に固定ねじ２７のねじ部４４及び胴部４１よりも大きな貫通孔５３を有すると共に、貫通孔５３周りの外側面に凸状の位置決定部５４を有する。
【００１４】
図４を参照し、第１固定ブロック２５の内部構造について説明する。ねじ収容室３６の底部には固定ねじ２７の頭部４０の斜面を受止めるねじ受部６０が斜面に形成され、ねじ受部６０の底部には固定ねじ２７の先端部４５の中間部を受止める肉薄なねじ掛部６１が形成され、ねじ掛部６１の底部には防護部６２を有する。防護部６２はねじ掛部６１で囲まれた小孔を介してねじ収容室３６に通じる凹部６３を有する。そして、固定ねじ２７が先端部４５よりねじ収容室３６に挿入されることによって先端部４５の中間部がねじ掛部６１で受止められ、ねじ掛部６１より凹部６３に突出した先端部４５は防護部６２よりも突出せずに凹部６３内に配置される。ねじ掛部６１が肉薄であるので、固定ねじ２７のねじ部４４がねじ掛部６１にタッピングねじのようにねじ切りをしながら締結進行する際の固定ねじ２７の締結トルクは小さくなる。
【００１５】
図５乃至図７を参照し、ケース複合体４を固定ねじ２７で結合する仕方について説明する。図５に示すように、第１・第２ケース１；２よりなる部品収容室５に回路基板７を取込むと共に第１固定ブロック２５に固定ねじ２７をねじカバー３５で落下しないように格納したケース中間体が作業者によって第３ケース３と重ね合されて矢印Ｘ方向に横ずれ操作される。この場合、固定ねじ２７の先端部４５が防護部６２より外側に突出していないので、固定ねじ２７が第２固定ブロック２６及びワッシャカバー５２に擦過傷を与えるような不都合は解消される。このケース中間体の矢印Ｘ方向への横移動に伴い、図６に示すように、第１固定ブロック２５が第２固定ブロック２６の位置決定部５４に突き当たり、第１固定ブロック２５と第２固定ブロック２６とが直線上で対応する。
【００１６】
そして、作業者が図外のドライバのような工具をねじカバー３５のスロット３７よりねじ収容室３６に挿入し、工具の先端を固定ねじ２７の頭部４０に形成された図外の工具受部に挿入する。その状態のまま、作業者が工具を押しながら回転操作すると、固定ねじ２７の先端部４５がねじ掛部６１を越えて防護部６２側に移動し、この移動に伴い、固定ねじ２７のねじ部４４がタッピングねじのようにねじ掛部６１にねじ切りをしつつ防護部６２側に移動する。このねじ部４４の移動に伴い、先端部４５が防護部６２よりワッシャカバー５２の貫通孔に挿入される。又、上記工具による固定ねじ２７の回転操作に伴い、スロット３７が形状変形するので、固定ねじ２７による締結をねじカバー３５の外側より視認し得る。
【００１７】
引き続く作業者の工具回転操作により、固定ねじ２７のねじ部４４がワッシャカバー５２よりねじワッシャ５１を経由して第２固定ブロック２６の内部孔にねじ切りをしながら締結される。更なる工具の回転操作により、図７に示すように、つば部４３がねじワッシャ５１の爪部５０を内部孔４９側に越えて、固定ねじ２７のくびれ部４２が爪部５０で囲まれ、固定ねじ２７の胴部４１がねじワッシャ５１及び防護部６２に囲まれ、固定ねじ２７の頭部４０の斜面が第１固定ブロック２５のねじ受部６０に突当る。
【００１８】
これによって、固定ねじ２７は取外し操作により締結時とは逆方向に回転操作されても、爪部５０で囲まれたくびれ部４２が回転するだけで、固定ねじ２７は第１・第２固定ブロック２５；２６から取外し不能となる。その理由は、ねじ部４４の回転によって固定ねじ２７が第２固定ブロック２６から第１固定ブロック２５側に持上がり、つば部４３が爪部５０を持上げ、このつば部４３で持上げられた爪部５０がくびれ部４２に食い込むことによって、上記逆転操作による固定ねじ２７の持上がりが阻止されるからである。
【００１９】
第１・第３ケース１；３相互の係合を解除しようとして、第１・第３ケース１；３相互を引き離したまま横移動しても、固定ねじ２７が第１・第２固定ブロック２５；２６の双方に引っ掛かり、図３に示す第１・第２固定ブロック２５；２６相互の係合が解除されることはない。よって、収納部品６の正規のＲＯＭが不正ＲＯＭに交換されるようなことは防止できる。
【００２０】
第１実施形態の場合には、爪部５０がねじワッシャ５１における貫通孔の周縁部より締結操作に際する固定ねじ２７の挿入方向に折り曲げられているので、上記つば部４３による持上がりに対する爪部５０の抗力が高く、しかも、くびれ部４２への食込み後の座屈に対する爪部５０の抗力も高い。又、ワッシャカバー５２の貫通孔５３周りにおけるねじワッシャ５１の側の面が爪部５０の側に突出した斜面に形成されたので、当該斜面がつば部４３で持上げられた爪部５０をそれ以上持ち上がらないように受止める。この受止によっても上記爪部５０の持上がりや座屈に対する抗力が一層高くなる。
【００２１】
前述したように、ねじカバー３５で脱落防止されかつ第１固定ブロック２５に格納された複数の固定ねじ２７が第２固定ブロック２６に締結される。これによって、ケース複合体４の組立が完了する。この場合、固定ねじ２７全部を締結しても良いが、固定ねじ２７を少なくとも１本づつ使用して固定個所部３１の個数分の回数だけ、第１ケース１と第３ケース３との固定と解放とが繰り返されることにより、パチンコ機が、パチンコ店に設置された状態で行われる公安委員会でのケース複合体４に内蔵された主制御装置又は球払出制御装置或いはその他収納部品６が適正であるか否かの検査、検査終了後の固定、の観点から最良である。それには、先ず、例えば左側に配置された第１固定ブロック２５における左端の固定ねじ２７と、右側に配置された第１固定ブロック２５における左端の固定ねじ２７とが、第１ケース１と第３ケース３との固定に用いられる。
【００２２】
図８に示すように、検査に際しては、第１ケース１と第３ケース３との係合を解除する。それには、作業者がスロット３７の形状変化を視認することによって固定ねじ２７の締結個所を特定し、この締結個所に対応する第１・第２連結部３２；３３及びねじカバー３５をニッパのような工具で切断する。図８はねじカバー３５、第１固定ブロック２５における左端の固定個所部３１とブロックベース３０とを繋ぐ第１連結部３２、左端の固定個所部３１とその右隣の固定個所部３１とを繋ぐ第２連結部３３それぞれが工具で切断された状態である。上記切断に際し、第１実施形態の構造によれば、第１・第２連結部３２；３３及びねじカバー３５が彩られているので、作業者が切断個所である第１・第２連結部３２；３３及びねじカバー３５を適切かつ容易に認識して切断することができる。又、ケース複合体４の外部より無色な合成樹脂よりなる第１ケース１を通してケース複合体４内部の収納部品６の視認性は確保される。これによって、第１固定ブロック２５の左端の固定個所部３１と固定ねじ２７とが一緒に第１固定ブロック２５より切離されて第２固定ブロック２６の左端の固定個所部３１に取残される。従って、作業者が第１・第２ケース１；２からなるケース中間体を図８の矢印Ｙ方向（図５のＸ方向と逆向き方向）に横ずれすることで、係合部２１；２２の係合が解除し、ケース中間体が第３ケース３より取外される。その状態において、図２に示す止ねじ８が第１・第２ケース１；２より取外されることにより、第１・第２ケース１；２と回路基板７との組合わせが互いに分解され、回路基板７に実装された収納部品６の検査が実行できる。
【００２３】
この検査終了後において、ケース複合体４を再度組立てるには、回路基板７の格納された第１・第２ケース１；２よりなるケース中間体を第３ケース３に重ね合わせて矢印Ｘ方向に横ずれ移動し、係合部２１；２２を互いに係合する。その後、前記切断で切離された第１固定ブロック２５の左側の固定個所部３１以外の１つの固定個所部３１のねじ収納室３６における固定ねじ２７をねじカバー３５の外側よりドライバーのような工具でワッシャカバー５２の貫通孔５３及びねじワッシャ５１の爪部５０を経由して第２固定ブロック２６の固定個所部４８に締結する。これによって、前記検査に対する切断開封後にケース複合体４を再び固定ねじ２７で固定封止することができる。第１・第２連結部３２；３３及びねじカバー３５が彩られているので、ケース複合体４を再び封止した際に、前回の切断開封時の切断個所が明瞭となる。
【００２４】
図９を参照し、パチンコ機の裏機構について説明する。７０は遊技盤、７１は遊技盤７０をパチンコ店の島に交換可能に取付ける額縁状の本体枠、７２は本体枠７１の上部に取付けられたタンク、７３はタンク７２の下部に配置された球誘導樋、７４はタンク７２の本体枠７１への取付部に形成された開口部である。島の球補給機構よりタンク７２に供給された球は球誘導樋７３を経由して球払出機構８２に流入する。７５は本体枠７１の側部に取付けられた球払出機構８２に連結されたリアカバー、７６は本体枠７１の下部に取付けられた球誘導ユニットである。電源装置８５及び球払出制御装置８６は本体枠７１に球誘導ユニット７６を介して取付けられる。主制御装置８０と表示灯制御装置８７と特別図柄表示制御装置８８及び効果音制御装置８９は遊技盤７０に取付けられる。アウト球、入賞球は球誘導ユニット７６により島の球捕捉手段に排出され、球払出機構８２より払出された球はパチンコ機の前面に設けられた皿装置に排出される。リアカバー７５は、球払出機構８２を介して遊技盤７０の裏面側に閉じられることにより、主制御装置８０と表示灯制御装置８７と特別図柄表示制御装置８８及び効果音制御装置８９を覆い、不正行為を防止する。球払出機構８２は賞球用の単独であっても、賞球用及び球貸用の複数であっても良いが、複数の場合は前後に重ね合されることにより実施し得る。
【００２５】
図１０は本発明の第２実施形態を示す。図１０のように、ねじ掛部９０のねじ部４４が締結される長さつまり固定ねじ２７の軸方向に沿う方向のねじ掛部９０の厚さを図４に示すねじ掛部６１の厚さよりも厚くすれば、固定ねじ２７の締結トルクが高くなるが、反面、固定ねじ２７の締結に際する進行方向を安定させることができる。
【００２６】
第１・第２連結部３２；３３及びねじカバー３５の色彩は、色彩が施されたシール状又はフィルム状等の色付き部材を貼付（接着）することで形成してもよい。色彩としては金属色も含まれる。
【図面の簡単な説明】
【図１】  本発明の第１実施形態を示す分解斜視図。
【図２】  同第１実施形態を示す分解斜視図。
【図３】  同第１実施形態を示す斜視図。
【図４】  同第１実施形態を示す断面図。
【図５】  同第１実施形態を示す断面図。
【図６】  同第１実施形態を示す断面図。
【図７】  同第１実施形態を示す断面図。
【図８】  同第１実施形態を示す斜視図。
【図９】  同第１実施形態を示す背面図。
【図１０】  第２実施形態を示す断面図。
【符号の説明】
１；２；３  第１・第２・第３ケース
４  ケース複合体
５  部品収容室
６  収納部品
２５；２６  第１・第２固定ブロック
２７  固定ねじ
３２；３３  第１・第２連結部
４５  先端部
【図１】
0005187989.tif 000002
【図２】
0005187989.tif 000003
【図３】
0005187989.tif 000004
【図４】
0005187989.tif 000005
【図５】
0005187989.tif 000006
【図６】
0005187989.tif 000007
【図７】
0005187989.tif 000008
【図８】
0005187989.tif 000009
【図９】
0005187989.tif 000010
【図１０】
0005187989.tif 000011